(57)【要約】【課題】発光体を点灯させる発光回路を冷却する回路冷却装置を提供し、ランプユニットの内部で発生する熱が発光回路に伝達され難くする。【解決手段】回路冷却装置１においては、液体内部経路２１ａと、タンク３０と、液体外部経路２２，２３とを備えている。ランプユニット１０には、発光体１３を発光させるための点灯回路を有する点灯制御装置１６および発光体１３が収容されている。液体内部経路２１ａは、ランプユニット１０の内部を通過するよう配置され、液体を導通可能に構成されている。複数の液体外部経路２２，２３は、タンク３０に貯留された液体の水面よりも下方であって、かつタンク３０における異なる高さに設定された往路接続部３１および復路接続部３２にてタンク３０にそれぞれ接続されている。【選択図】図１
2011154880.tif 000002
【特許請求の範囲】
【請求項１】
発光体を発光させるための発光回路を冷却するための回路冷却装置であって、
前記発光体および前記発光回路を収容するランプユニットの内部を通過するよう配置され、液体を導通可能な液体内部経路と、
前記ランプユニットの外部において液体を貯留する貯留手段と、
前記ランプユニットの外部において、前記液体内部経路および前記貯留手段をそれぞれ連通するように位置された複数の液体外部経路と、
を備え、
前記複数の液体外部経路における貯留手段側の各端部は、前記貯留手段に貯留された液体の水面よりも下方であって、かつ前記貯留手段における異なる高さの部位にそれぞれ接続されていること
を特徴とする回路冷却装置。
【請求項２】
請求項１に記載の回路冷却装置において、
前記液体内部経路は、前記各液体外部経路との境界において、鉛直方向の高さが異なるように配置されており、
前記液体内部経路と鉛直方向の最も上側で接続された液体外部経路は、前記貯留手段との接続部位が、他の液体外部経路と貯留手段との接続部位よりも上側に設定されていること
を特徴とする回路冷却装置。
【請求項３】
請求項１または請求項２に記載の回路冷却装置において、
前記液体内部経路は、前記発光体および前記発光回路の間の領域を通過するよう配置されていること
を特徴とする回路冷却装置。
【請求項４】
請求項１〜請求項３の何れか１項に記載の回路冷却装置において、
前記液体内部経路は、当該ランプユニットの内部において発光体から発せられた光を反射するリフレクタに接するよう配置されていること
を特徴とする回路冷却装置。
【請求項５】
請求項１〜請求項４の何れか１項に記載の回路冷却装置において、
前記液体内部経路は、前記発光回路を覆うように配置されていること
を特徴とする回路冷却装置。
【請求項６】
請求項１〜請求項３の何れか１項に記載の回路冷却装置において、
前記液体内部経路は、当該ランプユニットの上部近傍の領域において当該ランプユニットの内部の構成要素と接することなく配置されていること
を特徴とする回路冷却装置。
【請求項７】
請求項１〜請求項６の何れか１項に記載の回路冷却装置において、
前記液体内部経路と前記各液体外部経路とを、前記ランプユニットを構成する筐体近傍にて分離または接続するためのコネクタ部を備えたこと
を特徴とする回路冷却装置。
【請求項８】
請求項１〜請求項７の何れか１項に記載の回路冷却装置において、
前記液体内部経路および前記各液体外部経路は、前記ランプユニットを構成する筐体の表面を洗浄するための洗浄液が導通され、
前記複数の液体外部経路のうちの１つは、前記筐体の表面を洗浄するための洗浄液を吐出口まで導通するための洗浄経路と前記液体内部経路へ繋がる連絡経路とを分岐する分岐部を備え、
前記分岐部において、前記洗浄経路または前記連絡経路を選択して洗浄液を送出する送出手段を備えたこと
を特徴とする回路冷却装置。
【請求項９】
発光体を発光させるための発光回路を冷却するための回路冷却装置であって、
前記発光体および前記発光回路を収容するランプユニットの内部において液体を貯留する貯留手段、
を備えたことを特徴とする回路冷却装置。
【発明の詳細な説明】
【技術分野】
【０００１】
本発明は、発光体を点灯させる発光回路を冷却する回路冷却装置に関する。
【背景技術】
【０００２】
発光体を内部に収納するランプユニットにおいて、ランプユニット内の空気の自然対流を利用して内部で発生する熱を外部に放出するものが知られている（例えば、特許文献１参照）。
【先行技術文献】
【特許文献】
【０００３】
【特許文献１】特開２００３−０５１２１２号公報
【発明の概要】
【発明が解決しようとする課題】
【０００４】
ところで近年では、ランプユニットの小型化、部品点数の削減等の要求を受けて、発光体を点灯させるための発光回路と発光体とを一体にする構成が採用されている。このような構成では、上記のような空気の自然対流を利用するのみでは放熱が不十分になる虞があるため、発光体から発せられる熱を発光回路に伝達し難くするための構成が求められる。
【０００５】
そこで、発光体を点灯させる発光回路を冷却する回路冷却装置を提供し、ランプユニットの内部で発生する熱が発光回路に伝達され難くすることを本発明の目的とする。
【課題を解決するための手段】
【０００６】
かかる目的を達成するために成された本発明の回路冷却装置においては、液体内部経路と、貯留手段と、液体外部経路とを備えている。液体内部経路は、発光体および発光回路を収容するランプユニットの内部を通過するよう配置され、液体を導通可能に構成されている。
【０００７】
貯留手段は、ランプユニットの外部において液体を貯留する。液体外部経路はランプユニットの外部において、液体内部経路および貯留手段をそれぞれ連通するように配置されている。
【０００８】
そして、複数の液体外部経路における貯留手段側の各端部は、貯留手段に貯留された液体の水面よりも下方であって、かつ貯留手段における異なる高さの部位にそれぞれ接続されている（請求項１）。
【０００９】
即ち、本発明では、液体内部経路と貯留手段との間で内部の液体が自由に行き来できるように液体外部経路で接続し、このとき、液体外部経路の貯留手段側の端部を貯留手段における異なる高さの部位に接続することによって、液体内部経路内において液体が自然対流するようにしている。この構成では、ランプユニット内の熱によって液体内部経路内の液体が熱せられると、熱せられた液体は液体外部経路を介して貯留手段に移動し、代わって、比較的温度が低い液体が貯留手段から液体外部経路を介して液体内部経路に供給されることになる。
【００１０】
従って、このような回路冷却装置によれば、ランプユニット内の熱を液体内部経路内の液体に吸収させることができるので、ランプユニット内の雰囲気温度の上昇を抑制することができ、ランプユニット内の熱が発光回路に伝達され難くすることができる。
【００１１】
なお、本発明では、貯留手段に接続される液体経路を、便宜上、液体内部経路と液体外部経路とに分離して記載しているが、これらは一部材からなる分離不可能な液体経路として構成されていてもよい。
【００１２】
ところで、上記回路冷却装置において、液体内部経路は、各液体外部経路との境界において、鉛直方向の高さが異なるように配置されており、液体内部経路と鉛直方向の最も上側で接続された液体外部経路は、貯留手段との接続部位が、他の液体外部経路と貯留手段との接続部位よりも上側に設定されていてもよい（請求項２）。
【００１３】
このような回路冷却装置によれば、液体内部経路にて熱せられた液体を、より高い位置にて液体外部経路に受け渡すとともに、この液体を貯留手段において液体の温度が高い領域（貯留手段の鉛直方向上側）に送ることができる。反対に、貯留手段の比較的温度の低い領域（貯留手段の鉛直方向下側）から比較的温度の低い液体を液体内部経路に供給することができる。
【００１４】
つまり、温度が高く鉛直方向上側に移動しようとする液体を鉛直方向上側で移動させ、温度が低く鉛直方向下側に移動しようとする液体を鉛直方向下側で移動させることによって液体を循環させることができるので、液体が対流する際の効率を向上させることができる。この結果、液体の循環が活発になるので、ランプユニット内の熱を液体内部経路に効率的に吸収させることができる。
【００１５】
さらに、上記回路冷却装置において、液体内部経路は、発光体および発光回路の間の領域を通過するよう配置されていてもよい（請求項３）。
このような回路冷却装置によれば、発光体および発光回路の間という熱の移動経路上の領域に液体内部経路を配置しているので、発光体から発せられる熱が発光回路に伝達されることを効果的に防止することができる。
【００１６】
さらに、上記回路冷却装置において、液体内部経路は、当該ランプユニットの内部において発光体から発せられた光を反射するリフレクタに接するよう配置されていてもよい（請求項４）。
【００１７】
このような回路冷却装置によれば、一般的に熱伝導率が高く表面積が大きなリフレクタを利用して熱交換することができるので、液体内部経路が効率的に熱を吸収することができる。
【００１８】
また、上記回路冷却装置において、液体内部経路は、発光回路を覆うように配置されていてもよい（請求項５）。
このような回路冷却装置によれば、液体内部経路が発光回路を覆うので、発光回路の発熱を抑制することができる。
【００１９】
さらに、上記回路冷却装置において、液体内部経路は、当該ランプユニットの上部近傍の領域において当該ランプユニットの内部の構成要素と接することなく配置されていてもよい（請求項６）。
【００２０】
このような回路冷却装置によれば、液体内部経路の形状をランプユニットの内部の構成要素の配置に応じて変更する必要がないので、液体内部経路の汎用性を向上させることができる。
【００２１】
また、上記回路冷却装置においては、液体内部経路と各液体外部経路とを、ランプユニットを構成する筐体近傍にて分離または接続するためのコネクタ部を備えていてもよい（請求項７）。
【００２２】
このような回路冷却装置によれば、コネクタ部を設けたことによって液体内部経路と各液体外部経路とを容易に脱着することができる。よって、回路冷却装置およびランプユニットの組み付け性、メンテナンス性を向上させることができる。
【００２３】
さらに、上記回路冷却装置において、液体内部経路および各液体外部経路は、ランプユニットを構成する筐体の表面を洗浄するための洗浄液が導通され、複数の液体外部経路のうちの１つは、筐体の表面を洗浄するための洗浄液を吐出口まで導通するための洗浄経路と液体内部経路へ繋がる連絡経路とを分岐する分岐部を備え、分岐部において、洗浄経路または連絡経路を選択して洗浄液を送出する送出手段を備えていてもよい（請求項８）。
【００２４】
このような回路冷却装置によれば、ランプユニットの構成する筐体の表面を洗浄するための洗浄液を送出する送出手段を液体内部経路に洗浄液を送る際に利用することができる。
【００２５】
よって、強制的に液体内部経路に洗浄液を送る構成とする際に、専用の送出手段を設けることなく本構成を実現することができる。
また、上記目的を達成するために成された別形態の回路冷却装置は、発光体および前記発光回路を収容するランプユニットの内部において液体を貯留する貯留手段を備えている（請求項９）。
【００２６】
このような回路冷却装置によれば、ランプユニット内部に貯留手段を備えており、液体経路を外部と接続する必要がないので、組み付け性、メンテナンス性を向上させることができる。
【図面の簡単な説明】
【００２７】
【図１】第１実施形態の回路冷却装置１の正面図である。
【図２】第１実施形態の回路冷却装置１の平面図である。
【図３】第２実施形態の回路冷却装置２の正面図（ａ）、および第２実施形態の回路冷却装置２の平面図である（ｂ）。
【図４】第３実施形態の回路冷却装置３の正面図である。
【図５】第４実施形態の回路冷却装置４の正面図である。
【図６】第５実施形態の回路冷却装置５の正面図である。
【図７】第５実施形態の変形例の回路冷却装置６の正面図である。
【図８】第５実施形態の変形例の回路冷却装置７の正面図である。
【図９】第６実施形態の回路冷却装置８の正面図である。
【発明を実施するための形態】
【００２８】
以下に本発明にかかる実施の形態を図面と共に説明する。
［第１実施形態］
図１は第１実施形態の回路冷却装置１の正面図、図２は第１実施形態の回路冷却装置１の平面図である。なお、これらの図面を含む以下の図面においては、一部の構成要素（シェード１４やリフレクタ１５等）を透視した状態で表示している。
【００２９】
回路冷却装置１は、例えば乗用車等の車両のヘッドライトとして搭載され、例えばディスチャージヘッドライトの放電灯として構成された発光体１３を点灯するための発光回路を備えた点灯制御装置１６を冷却するための装置である。回路冷却装置１は、図１、図２に示すように、発光体１３と点灯制御装置１６とが一体にされたユニットがランプユニット１０の内部に収容されている。
【００３０】
ランプユニット１０は、発光体１３からの光を透過させる樹脂等によって構成された透明部１１と、内部に配置される構成部品を支持するランプハウジング１２（筐体）と、を組み合わせることによって内部の空間を概ね密閉するように構成されている。
【００３１】
なお、発光体１３および点灯制御装置１６は、発光体１３から発せられる光を所定の方向（車両の前方）に反射させるためのシェード１４およびリフレクタ１５を備えている。リフレクタ１５は、ランプユニット１０を、発光体１３の軸を含む断面で見たときに（つまり、図１の状態において）発光体１３と点灯制御装置１６との間に配置されている。
【００３２】
点灯制御装置１６には、ランプユニット１０の外部から点灯制御装置１６に電力を供給するためのリード線１７が接続されている。リード線１７は、ランプユニット１０の外部において車両側に備えられた他のリード線（図示省略）と接続するためのリード線コネクタ１８を備えている。
【００３３】
車両側に備えられた他のリード線には、リード線コネクタ１８と係合可能であり、かつ、リード線コネクタ１８と係合したときに導通可能となるようなコネクタが設けられている。
【００３４】
ここで、本実施形態の回路冷却装置１においては、ランプユニット１０の内部を通過するよう配置され、液体を導通可能な液体内部経路２１ａが設けられている。そして、ランプユニット１０の外部において液体を貯留するタンク３０（貯留手段）が備えられている。
【００３５】
タンク３０は、例えば、通常の車両に既に備えられているラジエタ液のタンク、ウォッシャ液のタンク等と共用して利用される。なお、回路冷却装置１がハイブリッド車等のモータや電池を冷却する冷却水のタンクを備えている場合には、このようなタンクとも共用することができる。
【００３６】
ここで、タンク３０と液体内部経路２１ａとは、複数の液体外部経路２２，２３によって連通されている。液体内部経路２１ａと各液体外部経路２２，２３との間には、ランプユニット１０を構成するランプハウジング１２近傍にて分離または接続するための経路コネクタ部２４，２５を備えられている。
【００３７】
この経路コネクタ部２４，２５は、自身を分割できるように構成されており、作業者は所定部位を押さえることによって容易に分割させることができ、所定の向きで分割された自身の一方を他方に挿入することによって容易に接続することができる周知のコネクタとして構成されている。
【００３８】
ここで、タンク３０においては、タンク３０に貯留された液体の水面よりも下方であって、かつタンク３０における異なる高さに往路接続部３１および復路接続部３２が設けられている。図１においては、往路接続部３１がタンク３０の下面に設けられており、復路接続部３２がタンク３０の側方に設けられている。これらの各接続部３１，３２に、液体外部経路２２，２３の端部がそれぞれ接続されている。
【００３９】
即ち、回路冷却装置１では、液体内部経路２１ａとタンク３０との間で内部の液体が自由に行き来できるように液体外部経路２２，２３で接続し、このとき、液体外部経路２２，２３のタンク３０側の端部をタンク３０における異なる高さに設定された往路接続部３１および復路接続部３２に接続することによって、液体内部経路２１ａ内において液体が自然対流するようにしている。この構成では、ランプユニット１０内の熱によって液体内部経路２１ａ内の液体が熱せられると、熱せられた液体は液体外部経路２２，２３を介してタンク３０に移動し、代わって、比較的温度が低い液体がタンク３０から液体外部経路２２，２３を介して液体内部経路２１ａに供給されることになる。
【００４０】
特に、液体内部経路２１ａは、各液体外部経路２２，２３との境界（つまり、経路コネクタ部２４，２５の部位）において、鉛直方向の高さが異なるように配置されている。そして、液体内部経路２１ａは、一方の経路コネクタ部２４から他方の経路コネクタ部２５までの区間において、鉛直方向上側に単調に変位する（つまり、鉛直方向下側に変位することがない）ように設定されている。
【００４１】
また、液体内部経路２１ａと鉛直方向の上側の経路コネクタ部２５で接続された液体外部経路２３は、タンク３０との接続部位（往路接続部３１）が、他の液体外部経路２２とタンク３０との接続部位（復路接続部３２）よりも上側に設定されている。また、液体内部経路２１ａは、発光体１３および点灯制御装置１６の間の領域を点灯制御装置１６と接触しつつ通過するよう配置されている。
【００４２】
この構成では、点灯制御装置１６と液体内部経路２１ａ内の液体とが空気を介することなく熱交換することができる。
［本実施形態による効果］
以上のように詳述した回路冷却装置１においては、液体内部経路２１ａと、タンク３０と、液体外部経路２２，２３とを備えている。液体内部経路２１ａは、ランプユニット１０の内部を通過するよう配置され、液体を導通可能に構成されている。なお、ランプユニット１０には、発光体１３を発光させるための点灯回路を有する点灯制御装置１６および発光体１３が収容されている。
【００４３】
また、タンク３０は、ランプユニット１０の外部において液体を貯留する。さらに、液体外部経路２２，２３はランプユニット１０の外部において、液体内部経路２１ａおよびタンク３０をそれぞれ連通するように配置されている。
【００４４】
そして、複数の液体外部経路２２，２３は、タンク３０に貯留された液体の水面よりも下方であって、かつタンク３０における異なる高さに設定された往路接続部３１および復路接続部３２にてタンク３０にそれぞれ接続されている。
【００４５】
このような回路冷却装置１によれば、ランプユニット１０内の熱を液体内部経路２１ａ内の液体に吸収させることができるので、ランプユニット１０内の雰囲気温度の上昇を抑制することができ、ランプユニット１０内の熱が点灯制御装置１６に伝達され難くすることができる。
【００４６】
また、回路冷却装置１において、液体内部経路２１ａは、液体外部経路２２，２３との境界のコネクタ部２４，２５の部位において、鉛直方向の高さが異なるように配置されており、液体内部経路２１ａと鉛直方向の最も上側で接続された液体外部経路２３は、タンク３０との接続部位（復路接続部３２）が、他の液体外部経路２２とタンク３０との接続部位（往路接続部３１）よりも上側に設定されている。
【００４７】
このような回路冷却装置１によれば、液体内部経路２１ａにて熱せられた液体を、より高い位置にて液体外部経路２３に受け渡すとともに、この液体をタンク３０において液体の温度が高い領域（タンク３０の鉛直方向上側）に送ることができる。反対に、タンク３０の比較的温度の低い領域（タンク３０の鉛直方向下側）から比較的温度の低い液体を、液体外部経路２２を介して液体内部経路２１ａに供給することができる。
【００４８】
つまり、温度が高く鉛直方向上側に移動しようとする液体を鉛直方向上側で移動させ、温度が低く鉛直方向下側に移動しようとする液体を鉛直方向下側で移動させることによって液体を循環させることができるので、液体が対流する際の効率を向上させることができる。この結果、液体の循環が活発になるので、ランプユニット１０内の熱を液体内部経路２１ａに効率的に吸収させることができる。
【００４９】
さらに、上記回路冷却装置１において、液体内部経路２１ａは、発光体１３および点灯制御装置１６の間の領域を通過するよう配置されている。
このような回路冷却装置１によれば、発光体１３および点灯制御装置１６の間という熱の移動経路上の領域に液体内部経路２１ａを配置しているので、発光体１３から発せられる熱が点灯制御装置１６に伝達されることを効果的に防止することができる。
【００５０】
また、回路冷却装置１においては、液体内部経路２１ａと各液体外部経路２２，２３とを、ランプユニット１０を構成するランプハウジング１２近傍にて分離または接続するための経路コネクタ部２４，２５を備えている。
【００５１】
このような回路冷却装置１によれば、経路コネクタ部２４，２５を設けたことによって液体内部経路２１ａと各液体外部経路２２，２３とを容易に脱着することができる。よって、回路冷却装置１およびランプユニット１０の組み付け性、メンテナンス性を向上させることができる。
【００５２】
［第２実施形態］
次に、別形態の回路冷却装置２ついて説明する。本実施形態（第２実施形態）以下の実施形態では、第１実施形態の回路冷却装置１と異なる箇所のみを詳述し、第１実施形態と同様の箇所については、同一の符号を付して説明を省略する。
【００５３】
図３（ａ）は第２実施形態の回路冷却装置２の正面図、図３（ｂ）は第２実施形態の回路冷却装置２の平面図である。本実施形態の回路冷却装置２における液体内部経路２１ｂは、図３（ａ）に示すように、ランプユニット１０の上部近傍の領域において、このランプユニット１０の内部の構成要素と接することなく配置されている。
【００５４】
このような回路冷却装置２によれば、液体内部経路２１ｂの形状をランプユニット１０の内部の構成要素の配置や形状に応じて変更する必要がないので、液体内部経路２１ｂの汎用性を向上させることができる。
【００５５】
また、液体内部経路２１ｂは、図３（ｂ）に示すように、ランプユニット１０内の空気との接触面積を大きくするために、ランプユニット１０内において蛇行して配置されている。
【００５６】
このような回路冷却装置２によれば、ランプユニット１０内の雰囲気温度を効果的に低減させることができる。この結果、点灯制御装置１６の温度上昇を抑制することができる。
【００５７】
［第３実施形態］
次に、さらに別形態の回路冷却装置３ついて説明する。図４は第３実施形態の回路冷却装置３の正面図である。
【００５８】
本実施形態の回路冷却装置３において、液体内部経路２１ｃは、図４に示すように、ランプユニット１０の内部において発光体１３から発せられた光を反射するリフレクタ１５に接するよう配置されている。特に、液体内部経路２１ｃは、リフレクタ１５における点灯制御装置１６側の面のほぼ全面を覆うように配置されている。
【００５９】
このような回路冷却装置３によれば、一般的に熱伝導率が高く表面積が大きなリフレクタ１５を利用して熱交換することができるので、液体内部経路２１ｃが効率的に熱を吸収することができる。また、リフレクタ１５の形状は、点灯制御装置１６の形状に依存しないように設定することができるので、リフレクタ１５を汎用部品として他の種類の車両にも利用することができる。
【００６０】
なお、本実施形態の液体内部経路２１ｃは、図４に示すように、リフレクタ１５と経路コネクタ部２４，２５との間にそれぞれ配置された中間コネクタ部２６ｃ，２７ｃによって分離可能に構成されている。この構成により、発光体１３と点灯制御装置１６とが一体となったユニットを交換する際に、中間コネクタ部２６ｃ，２７ｃにて、このユニットとランプハウジング１２とを分離することができる。よって、修理等のメンテナンスの際の作業性を向上させることができる。
【００６１】
［第４実施形態］
次に、さらに別形態の回路冷却装置４ついて説明する。図５は第４実施形態の回路冷却装置４の正面図である。
【００６２】
本実施形態の回路冷却装置４において、液体内部経路２１ｄは、点灯制御装置１６を覆うジャケット部３５を備えている。特に、ジャケット部３５は、点灯制御装置１６における発光体１３側の面を除く全面を覆うように配置されている。
【００６３】
このような回路冷却装置４によれば、液体内部経路２１ｄのジャケット部３５が点灯制御装置１６を覆うので、点灯制御装置１６の温度上昇を抑制することができる。また、ランプユニット１０内の雰囲気温度に依存することなく点灯制御装置１６を冷却することができる。
【００６４】
なお、本実施形態の液体内部経路２１ｄにおいては、点灯制御装置１６の近傍に中間コネクタ部２６ｄ，２７ｄを備えている。この構成においても、中間コネクタ部２６ｄ，２７ｄにて液体内部経路２１ｄを容易に分離することができる。
【００６５】
［第５実施形態］
次に、さらに別形態の回路冷却装置５〜７ついて説明する。図６は第５実施形態の回路冷却装置５の正面図、図７および図８は第５実施形態の変形例の回路冷却装置６，７の正面図である。
【００６６】
本実施形態の回路冷却装置５においては、第１実施形態の回路冷却装置１に対して、液体外部経路２２の部位のみが異なる。
回路冷却装置５において往路接続部３１に接続された液体外部経路２２は、図５に示すように、透明部１１の表面を洗浄するための洗浄液を噴射ノズル４４（吐出口）まで導通するための洗浄経路４２ｅと液体内部経路２１ａへ繋がる連絡経路４３ｅとに分岐されている。そして、この分岐部分には、ポンプ４１（送出手段）が配置されている。
【００６７】
ポンプ４１は、図示しない制御装置によって作動状態が制御され、この制御装置からランプユニット１０を洗浄する旨の指令を受けると、導通経路を洗浄経路４２ｅ側に切り替えて、この洗浄経路４２ｅに対して洗浄液を送出する。また、洗浄する旨の指令を受けていないときには、導通経路を連絡経路４３ｅ側に切り替えて、この連絡経路４３ｅに対して洗浄液を送出する。
【００６８】
なお、本実施形態のポンプ４１においては、分岐された複数の経路のうちの１つを選択する構成と、選択した経路に液体を送出する構成とを兼ね備えているが、これらの構成は、例えばポンプとバルブとに分離された構成としてもよい。
【００６９】
このような回路冷却装置５によれば、ランプユニットの構成する筐体の表面を洗浄するための洗浄液を送出するポンプ４１を液体内部経路２１ａに洗浄液を送る際に利用することができる。
【００７０】
よって、強制的に液体内部経路２１ａに洗浄液を送る構成とする際に、専用のポンプ４１を設けることなく本構成を実現することができる。
なお、図７に示す回路冷却装置６のように、液体外部経路２２における往路接続部３１とポンプ４１までの間に、一時的に洗浄液を貯留する専用タンク４５を備えていてもよい。
【００７１】
また、図８に示す回路冷却装置７のように、洗浄液をタンク３０には循環させずに、専用タンク４６のみに循環させるようにしてもよい。この構成によれば、液体外部経路２２，２３を短くすることができる。
【００７２】
［第６実施形態］
次に、さらに別形態の回路冷却装置８ついて説明する。図９は第６実施形態の回路冷却装置８の正面図である。
【００７３】
この回路冷却装置８においては、発光体１３および点灯制御装置１６を収容するランプユニット１０の内部において液体を貯留するタンク６０（貯留手段）を備えている。タンク６０は、その下面がランプユニット１０の内部の空気と接するように配置されており、タンク６０内の液体の温度がランプユニット１０内部の雰囲気温度と一致するまで熱エネルギを吸収することができる。
【００７４】
このような回路冷却装置８によれば、ランプユニット１０内部にタンク６０を備えており、液体経路を外部と接続する必要がないので、組み付け性、メンテナンス性を向上させることができる。
【００７５】
［その他の実施形態］
本発明の実施の形態は、上記の実施形態に何ら限定されることはなく、本発明の技術的範囲に属する限り種々の形態を採りうる。
【００７６】
例えば、上記第１〜第５実施形態では、タンク３０に接続される液体経路を、液体内部経路２１ａ〜２１ｄと液体外部経路２２，２３とに分離しているが、これらは一部材からなる分離不可能な液体経路として構成されていてもよい。
【００７７】
また、上記実施形態では、発光体１３として放電灯を採用しているが、発光するものであればよく、例えば、発光ダイオード等を採用してもよい。
また、上記第５実施形態においては、液体内部経路２１ａに対して強制的に洗浄液を循環させているが、自然対流によって洗浄液を循環させてもよい。この場合には、ポンプ４１を洗浄経路４２ｅ上に配置し、洗浄経路４２ｅと連絡経路４３ｅとの分岐部を、これらの両方の経路に洗浄液を自由に導通可能に構成しておけばよい。
【００７８】
このような構成によれば、噴射ノズル４４から洗浄液を噴射したいときのみにポンプ４１を作動させればよく、ポンプ４１が作動しないときには、第１〜第４実施形態と同様に洗浄液等の液体を自然対流させることができる。
【符号の説明】
【００７９】
１〜８…回路冷却装置、１０…ランプユニット、１１…透明部、１２…ランプハウジング、１３…発光体、１４…シェード、１５…リフレクタ、１６…点灯制御装置、１７…リード線、１８…リード線コネクタ、２１ａ〜２１ｄ…液体内部経路、２２，２３…液体外部経路、２４…経路コネクタ部、２５…経路コネクタ部、２６ｃ，２６ｄ，２７ｃ，２７ｄ…中間コネクタ部、３０…タンク、３１…往路接続部、３２…復路接続部、４０…タンク、４１…ポンプ、４２ｅ…洗浄経路、４３ｅ…連絡経路、４４…噴射ノズル、４５，４６…専用タンク、６０…タンク。
【図１】
2011154880.tif 000003
【図２】
2011154880.tif 000004
【図３】
2011154880.tif 000005
【図４】
2011154880.tif 000006
【図５】
2011154880.tif 000007
【図６】
2011154880.tif 000008
【図７】
2011154880.tif 000009
【図８】
2011154880.tif 000010
【図９】
2011154880.tif 000011